(57)【要約】新たに生成されたネットワークスライスもしくはサービスを利用することができる通信端末を提供することを目的とする。本開示にかかる通信端末（１０）は、コアネットワークにおいて管理されている自装置の加入者情報の変更もしくは自装置の位置の変更に伴い、コアネットワークからＳＭ（Session Management）−ＮＳＳＡＩ（Network Slice Selection Assistance Information）に関するパラメータを受信する通信部（１１）と、ＳＭ−ＮＳＳＡＩに関するパラメータを用いて、ネットワークスライスを選択するために管理しているＮＳＳＡＩを更新する制御部（１２）と、を備える。
2018139572.tif 000002
【特許請求の範囲】
【請求項１】
コアネットワークにおいて管理されている通信端末であって、
自装置の加入者情報の変更もしくは自装置の位置の変更に伴い、前記コアネットワークからＳＭ（Session Management）−ＮＳＳＡＩ（Network Slice Selection Assistance Information）に関するパラメータを受信する通信部と、
前記ＳＭ−ＮＳＳＡＩに関するパラメータを用いて、ネットワークスライスを選択するために管理しているＮＳＳＡＩを更新する制御部と、を備える通信端末。
【請求項２】
前記通信部は、
新たな前記ＳＭ−ＮＳＳＡＩを示すパラメータを受信し、
前記制御部は、
前記新たなＳＭ−ＮＳＳＡＩを示すパラメータを用いて、前記ＮＳＳＡＩを更新する、請求項１に記載の通信端末。
【請求項３】
前記通信部は、
ＳＭ−ＮＳＳＡＩに含まれる新たなＳＤ（Slice Differentiator）を受信し、
前記制御部は、
前記新たなＳＤを示すパラメータを用いて、前記ＮＳＳＡＩを更新する、請求項１又は２に記載の通信端末。
【請求項４】
前記通信部は、
前記自装置の加入者情報の変更を要求する要求メッセージを前記コアネットワークへ送信する、請求項１乃至３のいずれか１項に記載の通信端末。
【請求項５】
前記要求メッセージは、
前記自装置が加入を希望する新たなネットワークスライスもしくは新たなサービスに関するパラメータを含む、請求項４に記載の通信端末。
【請求項６】
前記通信部は、
前記ＳＭ−ＮＳＳＡＩに関するパラメータを含むNSSAI Update Requestメッセージを受信する、請求項１乃至５のいずれか１項に記載の通信端末。
【請求項７】
加入者情報管理装置において管理されている通信端末の加入者情報の変更もしくは前記通信端末の位置の変更に伴い、前記加入者情報管理装置からＳＭ（Session Management）−ＮＳＳＡＩ（Network Slice Selection Assistance Information）に関するパラメータを受信する通信部と、
前記ＳＭ−ＮＳＳＡＩに関する情報を用いて、前記通信端末が利用するネットワークスライスを選択するために管理しているＮＳＳＡＩを更新する制御部と、を備えるコアネットワーク装置。
【請求項８】
前記通信部は、
新たな前記ＳＭ−ＮＳＳＡＩを示すパラメータを受信し、
前記制御部は、
前記新たなＳＭ−ＮＳＳＡＩを示すパラメータを用いて、前記ＮＳＳＡＩを更新する、請求項７に記載のコアネットワーク装置。
【請求項９】
前記通信部は、
ＳＭ−ＮＳＳＡＩに含まれる新たなＳＤ（Slice Differentiator）を受信し、
前記制御部は、
前記新たなＳＤを示すパラメータを用いて、前記ＮＳＳＡＩを更新する、請求項７又は８に記載のコアネットワーク装置。
【請求項１０】
通信端末の加入者情報もしくは前記通信端末の位置の変更に伴い、ＳＭ（Session Management）−ＮＳＳＡＩ（Network Slice Selection Assistance Information）に関するパラメータを前記通信端末へ送信する加入者情報管理装置と、
前記ＳＭ−ＮＳＳＡＩに関するパラメータを受信し、前記ＳＭ−ＮＳＳＡＩに関するパラメータを用いて、ネットワークスライスを選択するために管理しているＮＳＳＡＩを更新する前記通信端末と、を備える通信システム。
【請求項１１】
前記加入者情報管理装置は、
新たな前記ＳＭ−ＮＳＳＡＩを示すパラメータを送信し、
前記通信端末は、
前記新たなＳＭ−ＮＳＳＡＩを示すパラメータを用いて、前記ＮＳＳＡＩを更新する、請求項１０に記載の通信システム。
【請求項１２】
前記加入者情報管理装置は、
ＳＭ−ＮＳＳＡＩに含まれる新たなＳＤ（Slice Differentiator）を送信し、
前記通信端末は、
前記新たなＳＤを示すパラメータを用いて、前記ＮＳＳＡＩを更新する、請求項１０又は１１に記載の通信システム。
【請求項１３】
コアネットワークにおいて管理されている通信端末の情報管理方法であって、
前記通信端末の加入者情報の変更もしくは前記通信端末の位置の変更に伴い、前記コアネットワークからＳＭ（Session Management）−ＮＳＳＡＩ（Network Slice Selection Assistance Information）に関するパラメータを受信し、
前記ＳＭ−ＮＳＳＡＩに関するパラメータを用いて、ネットワークスライスを選択するために管理しているＮＳＳＡＩを更新する、情報管理方法。
【請求項１４】
コアネットワークにおいて管理されている通信端末の加入者情報の変更もしくは前記通信端末の位置の変更に伴い、前記コアネットワークからＳＭ（Session Management）−ＮＳＳＡＩ（Network Slice Selection Assistance Information）に関するパラメータを受信し、
前記ＳＭ−ＮＳＳＡＩに関するパラメータを用いて、ネットワークスライスを選択するために管理しているＮＳＳＡＩを更新することをコンピュータに実行させるプログラムが格納された非一時的なコンピュータ可読媒体。
【発明の詳細な説明】
【技術分野】
【０００１】
本開示は通信端末、コアネットワーク装置、通信システム、情報管理方法、及びプログラムに関する。
【背景技術】
【０００２】
ネットワークスライス（network slice）は、特定のユースケースにおける通信サービスを実現する論理的なネットワーク機能の集合（collection）及びリソースの集合である。ネットワークスライシング（network slicing）は、一つの物理的なネットワークを複数のスライス（slice）へ分割する処理である。【０００３】
非特許文献１にはＵＥ（User Equipment）が、ＮＳＳＡＩ（Network Slice Selection Assistance Information）を用いる処理が記載されている。具体的には、ＵＥは、ネットワークスライスインスタンス（Network Slice Instances: NSIs）を選択することが記載されている。ＮＳＳＡＩは、複数のパラメータを含む。ＵＥには、予めＮＳＳＡＩが設定されている。【０００４】
また、ＮＳＳＡＩは、ＳＭ（Session Management）−ＮＳＳＡＩの集合（collection）である。ＳＭ−ＮＳＳＡＩは、さらに、ＳＳＴ（Slice/Service type）及びＳＤ（Slice Differentiator）を含む。【０００５】
ＳＳＴは、ネットワークスライスの特徴（features）及びネットワークスライスの提供するサービスに関するネットワークの挙動（behaviour）を示す。ＳＤは、ネットワークスライスインスタンスを選択する際に用いられるＳＳＴを補足する（complement）情報である。
【先行技術文献】
【非特許文献】
【０００６】
【非特許文献１】3GPP TR 23.799 V2.0.0 (2016-11)
【発明の概要】
【発明が解決しようとする課題】
【０００７】
ネットワークスライスを選択する際に用いられるＮＳＳＡＩは、予めＵＥに設定される。そのため、ＵＥが利用可能な新たなネットワークスライスもしくは新たなサービスが生成されても、ＵＥが保持するＮＳＳＡＩが更新されることはない。そのため、ＵＥが、新たに生成されたネットワークスライスもしくはサービスを利用することができないという問題がある。【０００８】
本開示の目的は、上述した課題を鑑み、新たに生成されたネットワークスライスもしくはサービスを利用することができる通信端末、情報管理方法、及び、プログラムを提供することにある。さらに、本開示の目的は、ＵＥに対して新たに生成されたネットワークスライスもしくはサービスを利用させることができるコアネットワーク装置及び通信システムを提供することにある。
【課題を解決するための手段】
【０００９】
本開示の第１の態様にかかる通信端末は、コアネットワークにおいて管理されている自装置の加入者情報の変更もしくは自装置の位置の変更に伴い、前記コアネットワークからＳＭ（Session Management）−ＮＳＳＡＩ（Network Slice Selection Assistance Information）に関するパラメータを受信する通信部と、前記ＳＭ−ＮＳＳＡＩに関するパラメータを用いて、ネットワークスライスを選択するために管理しているＮＳＳＡＩを更新する制御部と、を備える。【００１０】
本開示の第２の態様にかかるコアネットワーク装置は、加入者情報管理装置において管理されている通信端末の加入者情報の変更もしくは前記通信端末の位置の変更に伴い、前記加入者情報管理装置からＳＭ（Session Management）−ＮＳＳＡＩ（Network Slice Selection Assistance Information）に関するパラメータを受信する通信部と、前記ＳＭ−ＮＳＳＡＩに関する情報を用いて、前記通信端末が利用するネットワークスライスを選択するために管理しているＮＳＳＡＩを更新する制御部と、を備える。【００１１】
本開示の第３の態様にかかる通信システムは、通信端末の加入者情報もしくは前記通信端末の位置の変更に伴い、ＳＭ（Session Management）−ＮＳＳＡＩ（Network Slice Selection Assistance Information）に関するパラメータを前記通信端末へ送信する加入者情報管理装置と、前記ＳＭ−ＮＳＳＡＩに関するパラメータを受信し、前記ＳＭ−ＮＳＳＡＩに関するパラメータを用いて、ネットワークスライスを選択するために管理しているＮＳＳＡＩを更新する前記通信端末と、を備える。【００１２】
本開示の第４の態様にかかる通信端末の情報管理方法は、コアネットワークにおいて管理されている前記通信端末の加入者情報の変更もしくは前記通信端末の位置の変更に伴い、前記コアネットワークからＳＭ（Session Management）−ＮＳＳＡＩ（Network Slice Selection Assistance Information）に関するパラメータを受信し、前記ＳＭ−ＮＳＳＡＩに関するパラメータを用いて、ネットワークスライスを選択するために管理しているＮＳＳＡＩを更新する。【００１３】
本開示の第５の態様にかかるプログラムは、コアネットワークにおいて管理されている通信端末の加入者情報の変更もしくは前記通信端末の位置の変更に伴い、前記コアネットワークからＳＭ（Session Management）−ＮＳＳＡＩ（Network Slice Selection Assistance Information）に関するパラメータを受信し、前記ＳＭ−ＮＳＳＡＩに関するパラメータを用いて、ネットワークスライスを選択するために管理しているＮＳＳＡＩを更新することをコンピュータに実行させる。
【発明の効果】
【００１４】
本開示により、新たに生成されたネットワークスライスもしくはサービスを利用することができる通信端末、情報管理方法、及び、プラグラムを提供することができる。さらに、ＵＥに対して新たに生成されたネットワークスライスもしくはサービスを利用させることができるコアネットワーク装置及び通信システムを提供すること提供することができる。
【図面の簡単な説明】
【００１５】
【図１】実施の形態１にかかる通信端末の構成図である。
【図２】実施の形態２にかかるＮＳＳＡＩ更新処理の流れを示す図である。
【図３】実施の形態２にかかるＮＳＳＡＩ更新処理の流れを示す図である。
【図４】実施の形態２にかかるＮＳＳＡＩ更新処理の流れを示す図である。
【図５】実施の形態２にかかるＮＳＳＡＩ更新処理の流れを示す図である。
【図６】実施の形態２にかかるＮＳＳＡＩ更新処理の流れを示す図である。
【図７】実施の形態２にかかるＮＳＳＡＩ更新処理の流れを示す図である。
【図８】実施の形態２にかかるＮＳＳＡＩ更新処理の流れを示す図である。
【図９】実施の形態２にかかるＮＳＳＡＩ更新処理の流れを示す図である。
【図１０】実施の形態３にかかるＡＭＦの構成図である。
【図１１】実施の形態３にかかるＮＳＳＡＩ更新処理の流れを示す図である。
【図１２】実施の形態３にかかるＮＳＳＡＩ更新処理の流れを示す図である。
【図１３】実施の形態３にかかるＮＳＳＡＩ更新処理の流れを示す図である。
【図１４】実施の形態３にかかるＮＳＳＡＩ更新処理の流れを示す図である。
【図１５】実施の形態３にかかるＮＳＳＡＩ更新処理の流れを示す図である。
【図１６】実施の形態３にかかるＮＳＳＡＩ更新処理の流れを示す図である。
【図１７】実施の形態３にかかるＮＳＳＡＩ更新処理の流れを示す図である。
【図１８】実施の形態３にかかるＮＳＳＡＩ更新処理の流れを示す図である。
【図１９】実施の形態４にかかるＮＳＳＡＩ更新処理の流れを示す図である。
【図２０】実施の形態４にかかるＮＳＳＡＩ更新処理の流れを示す図である。
【図２１】実施の形態４にかかるＮＳＳＡＩ更新処理の流れを示す図である。
【図２２】実施の形態４にかかるＮＳＳＡＩ更新処理の流れを示す図である。
【図２３】実施の形態４にかかるＮＳＳＡＩ更新処理の流れを示す図である。
【図２４】実施の形態４にかかるＮＳＳＡＩ更新処理の流れを示す図である。
【図２５】実施の形態４にかかるＮＳＳＡＩ更新処理の流れを示す図である。
【図２６】実施の形態４にかかるＮＳＳＡＩ更新処理の流れを示す図である。
【図２７】実施の形態５にかかるＮＳＳＡＩ更新処理の流れを示す図である。
【図２８】実施の形態５にかかるＮＳＳＡＩ更新処理の流れを示す図である。
【図２９】実施の形態５にかかるＮＳＳＡＩ更新処理の流れを示す図である。
【図３０】実施の形態５にかかるＮＳＳＡＩ更新処理の流れを示す図である。
【図３１】それぞれの実施の形態にかかる通信端末の構成図である。
【図３２】それぞれの実施の形態にかかるＡＭＦ構成図である。
【発明を実施するための形態】
【００１６】
（実施の形態１）
以下、図面を参照して本開示の実施の形態について説明する。はじめに、図１を用いて実施の形態１にかかる通信端末１０の構成例について説明する。通信端末１０は、プロセッサがメモリに格納されたプログラムを実行することによって動作するコンピュータ装置であってもよい。通信端末１０は、例えば、携帯電話端末、スマートフォン端末、タブレット型端末であってもよい。また、通信端末１０は、ＩｏＴ（Internet of Things）端末、もしくは、ＭＴＣ（Machine Type Communication）端末であってもよい。
【００１７】
通信端末１０は、通信部１１及び制御部１２を有している。通信部１１及び制御部１２は、プロセッサがメモリに格納されたプログラムを実行することによって処理が実行されるソフトウェアもしくはモジュールであってもよい。もしくは、通信部１１及び制御部１２は、回路もしくはチップ等のハードウェアであってもよい。
【００１８】
通信部１１は、ＳＭ（Session Management）−ＮＳＳＡＩ（Network Slice Selection Assistance Information）に関するパラメータを受信する。例えば、通信部１１は、コアネットワークにおいて管理されている通信端末１０の加入者情報の変更もしくは通信端末１０の位置の変更に伴い、コアネットワークからＳＭ−ＮＳＳＡＩに関するパラメータを受信する。
【００１９】
ＳＭ−ＮＳＳＡＩに関するパラメータは、例えば、ＳＭ−ＮＳＳＡＩを識別する情報を含んでもよい。または、ＳＭ−ＮＳＳＡＩに関するパラメータは、ＳＳＴ（Slice/Service type）もしくはＳＤ（Slice Differentiator）を含んでもよい。ＳＭ−ＮＳＳＡＩに関するパラメータは、コアネットワークにおいて管理されている通信端末１０の加入者情報の変更もしくは通信端末１０の位置の変更に伴い更新もしくは変更される。
【００２０】
例えば、通信端末１０が、新たなネットワークスライスを利用したサービスの提供を希望する場合、通信端末１０のＳＭ−ＮＳＳＡＩに関するパラメータが変更される。また、通信端末１０が移動し、移動先のエリアにおいて提供されているネットワークスライスが、移動前のエリアにおいて提供されているネットワークスライスと異なることがある。このような場合にも、通信端末１０のＳＭ−ＮＳＳＡＩに関するパラメータが変更される。
【００２１】
制御部１２は、ＳＭ−ＮＳＳＡＩに関するパラメータを用いて、ネットワークスライスを選択するために管理しているＮＳＳＡＩを更新する。ＮＳＳＡＩは、ＳＭ−ＮＳＳＡＩの集合（collection）である。ＳＭ−ＮＳＳＡＩは、さらに、ＳＳＴ及びＳＤを含む。これより、ＳＭ−ＮＳＳＡＩの識別情報、ＳＳＴ、及びＳＤのいずれかが変更された場合、通信端末１０において管理されているＮＳＳＡＩに関する情報も変更される。また、通信端末１０は、情報管理方法を実行する。具体的には、通信端末１０は、コアネットワークにおいて管理されている通信端末１０の加入者情報の変更もしくは通信端末１０の位置の変更に伴い、コアネットワークからＳＭ−ＮＳＳＡＩに関するパラメータを受信する。次に、通信端末１０は、ＳＭ−ＮＳＳＡＩに関するパラメータを用いて、ネットワークスライスを選択するために管理しているＮＳＳＡＩを更新する。
【００２２】
以上説明したように、通信端末１０は、コアネットワーク側から、ＳＭ−ＮＳＳＡＩが変更された際に、ＳＭ−ＮＳＳＡＩを受信することができる。これより、通信端末１０は、保持しているＮＳＳＡＩに関する情報を更新もしくは変更することができる。
【００２３】
（実施の形態２）
続いて、図２及び図３を用いて、３ＧＰＰにおいて定義されている通信システムにおいて実行される、ＮＳＳＡＩ更新処理の流れについて説明する。また、図２以降においては、ＵＥ２０、ＮＧ（Next Generation）  （Ｒ）ＡＮ（（Radio） Access Network）２１を有する通信システムにおいて実行される処理について説明する。さらに、図２以降においては、ＡＭＦ（Access and Mobility Management Function）エンティティ２２において実行される処理について説明する。さらに、図２以降においては、ＵＤＭ（Unified Data Management）エンティティ２３を有する通信システムにおいて実行される処理について説明する。さらに、図２以降においては、ＰＣＦ（Policy Control Function）エンティティ２４を有する通信システムにおいて実行される処理について説明する。ＡＭＦエンティティ２２は、以降、ＡＭＦ２２とする。ＵＤＭエンティティ２３は、以降、ＵＤＭ２３とする。ＰＣＦエンティティ２４は、以降、ＰＣＦ２４とする。
【００２４】
ＡＭＦ２２、ＵＤＭ２３、及びＰＣＦ２４は、コアネットワークを構成する。ＡＭＦ２２、ＵＤＭ２３、及びＰＣＦ２４は、コアネットワーク装置と称されてもよい。ＵＥ２０、ＮＧ  （Ｒ）ＡＮ２１、ＡＭＦ２２、ＵＤＭ２３、及びＰＣＦ２４は、プロセッサがメモリに格納されたプログラムを実行することによって動作するコンピュータ装置であってもよい。
【００２５】
ＵＥ２０は、３ＧＰＰにおいて通信端末の総称として用いられる。ＮＧ  （Ｒ）ＡＮ２１は、例えば、５Ｇと称される次世代アクセスネットワークを示す。もしくは、ＮＧ  （Ｒ）ＡＮ２１は、アクセスネットワークに配置される通信装置、例えば、基地局等の装置であってもよい。ＮＧ  （Ｒ）ＡＮ２１は、無線アクセスネットワークであってもよく、固定通信を用いたアクセスネットワークであってもよい。
【００２６】
ＡＭＦ２２は、ＵＥ２０に関するモビリティ管理を行う。さらに、ＡＭＦ２２は、ＵＤＭ２３もしくはＰＣＦ２４と連携してＵＥ２０に関する認証処理を行う。ＵＤＭ２３は、ＵＥ２０の加入者データを管理する。ＰＣＦ２４は、通信システムにおけるポリシー情報を管理する。ＵＤＭ２３は、加入者情報管理装置と称されてもよい。加入者情報管理装置は、ＵＤＭ２３及びＵＤＲ（User Data Repository）を含んでもよい。ＵＤＲは、ＵＥ２０の加入者情報を蓄積する。
【００２７】
図２及び図３は、ＵＥ２０においてネットワークスライスに関する情報を更新する処理の流れを示している。ネットワークスライスに関する情報は、例えば、ＮＳＳＡＩであってもよい。
【００２８】
はじめに、ＵＥ２０は、Subscription update requestメッセージをＡＭＦ２２へ送信する（Ｓ１）。Subscription update requestメッセージは、ＵＥ２０の加入者情報の変更もしくは更新を要求する要求メッセージである。Subscription update requestメッセージは、UE ID、UE Capabilities、New Service Capabilities、及びOld NSSAIを含む。UE IDは、ＵＥ２０を識別する情報である。UE IDは、例えば、IMSI（International Mobile Subscriber Identity）、TMSI（Temporary Mobile Subscriber Identity）、GUTI（Globally Unique Temporary Identiifer）、もしくはTemp IDであってもよい。UE Capabilitiesは、例えば、ＵＥ２０において実行される暗号化及び完全性保証に用いられるアルゴリズム情報を示す情報であってもよい。また、UE Capabilitiesは、ＵＥ２０が１つの無線周波数帯に対応するsingle radioか、２つの無線周波数帯に対応するdual radioかを示す情報を含んでもよい。また、UE Capabilitiesは、low-cost-deviceであるか、固定端末（fixed terminal）か、バッテリー制限（battery constrain）を伴う端末であるか、を示す情報を含んでもよい。ＵＥ２０において実行される暗号化及び完全性保証に用いられるアルゴリズム情報を示す情報は、例えば、UE Security Capabilitiesと称されてもよい。
【００２９】
New Service Capabilitiesは、ＵＥ２０が希望するサービスに関する情報を含んでもよい。サービスに関する情報は、例えば、サービス内容、サービス仕様等に関する情報であってもよい。
【００３０】
Old NSSAIは、現在、ＵＥ２０が管理しているＮＳＳＡＩに関する情報である。Old NSSAIは、例えば、ＮＳＳＡＩを識別する情報であってもよい。
【００３１】
次に、ＡＭＦ２２は、要求メッセージの完全性を確認する（verify）（Ｓ２）。次に、ＡＭＦ２２は、UE ID、UE Security capabilities、及び加入者情報を認証する（verify）（Ｓ３）。ＡＭＦ２２は、UE Security capabilitiesを含むUE capabilitiesを認証してもよい。
【００３２】
次に、ＡＭＦ２２は、ＵＤＭ２３へSubscription Update requestメッセージを送信する（Ｓ４）。ＵＤＭ２３は、ＵＥ２０が新たに生成（subscribe）されたネットワークスライスへ接続することができるか否かを判定する（Ｓ５）。次に、ＵＤＭ２３は、ＵＥ２０が新たに生成されたネットワークスライスへ接続することができる場合、ＵＥ２０の加入者情報を更新する（Ｓ６）。例えば、ＵＤＭ２３は、ＵＥ２０に関連付けられているＳＭ−ＮＳＳＡＩ及びＳＤを更新する。
【００３３】
次に、ＵＤＭ２３は、ＡＭＦ２２へNSSAI Update Requestメッセージを送信する（Ｓ７）。NSSAI Update Requestメッセージは、New SM-NSSAI、New SD、及びUE IDを含む。New SM-NSSAI及びNew SDは、更新後のＳＭ−ＮＳＳＡＩ及びＳＤを示す。
【００３４】
次に、ＡＭＦ２２は、ＵＤＭ２３から受信したNSSAI Update RequestメッセージをＵＥ２０へ転送する（Ｓ８）。
【００３５】
次に、ＵＥ２０は、New SM-NSSAI及びNew SDを用いて、保持しているNSSAIを更新する（Ｓ９）。つまり、ＵＥ２０は、New SM-NSSAI及びNew SDを用いて、Old NSSAIを更新する。次に、ＵＥ２０は、ＡＭＦ２２へNSSAI Update Responseメッセージを送信する（Ｓ１０）。NSSAI Update Responseメッセージは、UE ID及び更新後のNSSAI（Updated NSSAI）を含む。次に、ＡＭＦ２２は、ＵＥ２０から受信したNSSAI Update ResponseメッセージをＵＤＭ２３へ転送する（Ｓ１１）。
【００３６】
次に、ＵＤＭ２３は、ＵＥ２０の加入者情報及びＵＥ２０に関するポリシー情報を更新するために、ＰＣＦ２４と相互に通信する（interact）。ＵＤＭ２３は、ＵＤＲ（User Data Repository）を介してＰＣＦ２４と通信する。例えば、ＵＤＭ２３は、ＵＤＲからＵＥ２０の加入者情報を抽出し、抽出した加入者情報をＰＣＦ２４へ送信する。
【００３７】
次に、ＵＤＭ２３は、ＡＭＦ２２へ、Subscription Update Responseメッセージを送信する（Ｓ１３）。次に、ＡＭＦ２２は、ＵＤＭ２３から受信したSubscription Update ResponseメッセージをＵＥ２０へ転送する（Ｓ１４）。
【００３８】
続いて、図４及び図５を用いて、図２及び図３とは異なる、ＮＳＳＡＩ更新処理の流れについて説明する。図４においては、ＡＭＦ２２は、ステップＳ２３においてＵＥ２０の加入者情報の認証を行わず、ＵＤＭ２３が、ステップＳ２５においてＵＥ２０の加入者情報の認証を行う。その他のステップについては、図２及び図３のステップＳ１〜Ｓ１４と同様であるため詳細な説明を省略する。
【００３９】
続いて、図６及び図７を用いて、図２及び図３とは異なる、ＮＳＳＡＩ更新処理の流れについて説明する。図７は、ステップＳ４７において、ＵＤＭ２３が、ＡＭＦ２２へ、SST及びNew SDを含むNSSAI Update Requestメッセージを送信する。つまり、ＵＤＭ２３は、ステップＳ４６において、ＵＥ２０の加入者情報として、ＳＤを更新する。
【００４０】
さらに、ステップＳ４８において、ＡＭＦ２２は、ＵＤＭ２３から受信したNSSAI Update RequestメッセージをＵＥ２０へ転送する。ステップＳ４９において、ＵＥ２０は、New SDを用いて保持しているNSSAIを更新する。つまり、ＵＥ２０は、New SM-NSSAIの代わりに、New SDを用いてNSSAIを更新する。その他のステップについては、図２及び図３のステップＳ１〜Ｓ１４と同様であるため詳細な説明を省略する。
【００４１】
続いて、図８及び図９を用いて、図６及び図７とは異なる、ＮＳＳＡＩ更新処理の流れについて説明する。図８においては、ＡＭＦ２２は、ステップＳ６３においてＵＥ２０の加入者情報の認証を行わず、ＵＤＭ２３が、ステップＳ６５においてＵＥ２０の加入者情報の認証を行う。その他のステップについては、図６及び図７のステップＳ４１〜Ｓ５４と同様であるため詳細な説明を省略する。
【００４２】
以上説明したように、図２〜図９の処理を実行することによって、ＵＥ２０は、ＡＭＦ２２から、New SM-NSSAI及びNew SDの少なくとも一方を受信することができる。その結果、ＵＥ２０は、保持しているＮＳＳＡＩ（つまり、Old NSSAI）を更新することができる。
【００４３】
（実施の形態３）
続いて、図１０を用いて、実施の形態３にかかるＡＭＦ２２の構成例について説明する。ＡＭＦ２２は、通信部３１及び制御部３２を有している。通信部３１及び制御部３２は、プロセッサがメモリに格納されたプログラムを実行することによって処理が実行されるソフトウェアもしくはモジュールであってもよい。もしくは、通信部３１及び制御部３２は、回路もしくはチップ等のハードウェアであってもよい。
【００４４】
通信部３１は、ＵＤＭ２３から、ＵＥ２０に関連付けられたＳＭ−ＮＳＳＡＩに関するパラメータを受信する。例えば、通信部３１は、ＵＤＭ２３において管理されているＵＥ２０の加入者情報の変更もしくはＵＥ２０の位置の変更に伴い、ＵＤＭ２３から、ＵＥ２０に関連付けられたＳＭ−ＮＳＳＡＩに関するパラメータを受信する。
【００４５】
制御部３２は、ＵＥ２０が利用するネットワークスライスを選択する際に用いるＮＳＳＡＩを更新する。
【００４６】
続いて、図１１及び図１２を用いてＮＳＳＡＩ更新処理の流れについて説明する。ステップＳ８１〜Ｓ８７は、図２のステップＳ１〜Ｓ７と同様であるため詳細な説明を省略する。
【００４７】
図１２においては、ＡＭＦ２２は、ステップＳ８７において、ＵＥ２０のUE ID、ＵＥ２０に関連付けられたNew SM-NSSAI及びNew SDを受信する。次に、ＡＭＦ２２は、ステップＳ８８において、ＵＥ２０に関連付けられたNew SM-NSSAI及びNew SDを用いて、保持しているＵＥ２０に関連付けられたNSSAIを更新する。
【００４８】
図１２のステップＳ８９及びＳ９０は、図３のステップＳ１１及びＳ１２と同様であるため詳細な説明を省略する。
【００４９】
図１２においては、ＵＤＭ２３は、ステップＳ９１において、ＡＭＦ２２へ、New NSSAIを含むSubscription Update Responseメッセージを送信する。さらに、ＡＭＦ２２は、ステップＳ９２において、New NSSAIを含むSubscription Update Responseメッセージを送信する。
【００５０】
また、ステップＳ８６の後に、ＵＤＭ２３が、ＵＥ２０に関連付けて保持しているＮＳＳＡＩを更新した場合、ステップＳ８７〜Ｓ８９は省略されてもよい。
【００５１】
続いて、図１３及び図１４を用いて、図１１及び図１２とは異なる、ＮＳＳＡＩ更新処理の流れについて説明する。図１３においては、ＡＭＦ２２は、ステップＳ１０３においてＵＥ２０の加入者情報の認証を行わず、ＵＤＭ２３が、ステップＳ１０５においてＵＥ２０の加入者情報の認証を行う。その他のステップについては、図１１及び図１２のステップＳ８１〜Ｓ９２と同様であるため詳細な説明を省略する。
【００５２】
続いて、図１５及び図１６を用いて、図１１及び図１２とは異なる、ＮＳＳＡＩ更新処理の流れについて説明する。図１６のステップＳ１２７において、ＵＤＭ２３が、ＡＭＦ２２へ、SST及びNew SDを含むNSSAI Update Requestメッセージを送信する。つまり、ＵＤＭ２３は、ステップＳ１２６において、ＵＥ２０の加入者情報として、ＳＤを更新する。
【００５３】
さらに、ステップＳ１２８において、ＡＭＦ２２は、New SDを用いて、ＵＥ２０に関連付けて保持しているNSSAIを更新する。その他のステップについては、図１１及び図１２のステップＳ８１〜Ｓ９２と同様であるため詳細な説明を省略する。
【００５４】
続いて、図１７及び図１８を用いて、図１５及び図１６とは異なる、ＮＳＳＡＩ更新処理の流れについて説明する。図１７においては、ＡＭＦ２２は、ステップＳ１４３においてＵＥ２０の加入者情報の認証を行わず、ＵＤＭ２３が、ステップＳ１４５においてＵＥ２０の加入者情報の認証を行う。その他のステップについては、図１５及び図１６のステップＳ１２１〜Ｓ１３２と同様であるため詳細な説明を省略する。
【００５５】
以上説明したように、図１１〜図１８の処理を実行することによって、ＡＭＦ２２は、ＵＥ２０に関連付けて保持しているNSSAIを更新することができる。さらに、ＵＥ２０は、ＡＭＦ２２において更新されたNSSAIを受信することができる。その結果、ＵＥ２０は、保持しているＮＳＳＡＩ（つまり、Old NSSAI）を更新することができる。
【００５６】
（実施の形態４）
続いて、図１９及び図２０を用いて、ＮＳＳＡＩ更新処理の流れについて説明する。図１９及び図２０は、コアネットワーク側の処理をトリガーとするＮＳＳＡＩの更新処理を示している。はじめに、ＵＤＭ２３は、ＵＥ２０の加入者情報を変更する（Ｓ１６１）。次に、ＵＤＭ２３は、ＵＥ２０が新たに生成（subscribe）されたネットワークスライスへ接続することができるか否かを判定する（Ｓ１６２）。さらに、ＵＤＭ２３は、ＵＥ２０の加入者情報の認証を行う（Ｓ１６２）。
【００５７】
次に、ＵＤＭ２３は、ＡＭＦ２２へ、NSSAI Update Requestメッセージを送信する（Ｓ１６３）。NSSAI Update Requestメッセージは、New SM-NSSAI、SST、New SD、及びUE IDを含む。次に、ＡＭＦ２２は、UE ID、及び新たなネットワークスライスへアクセスするために用いられるUE Security capabilitiesを認証する（verify）（Ｓ１６４）。ＡＭＦ２２は、UE Security capabilitiesを含むUE capabilitiesを認証してもよい。ステップＳ１６５〜Ｓ１７１は、図３のステップＳ８〜Ｓ１４と同様であるため詳細な説明を省略する。ただし、ステップＳ１７０及びＳ１７１においては、Subscription Update Responseメッセージの代わりに、NSSAI Update Response Ackメッセージが用いられる。
【００５８】
続いて、図２１及び図２２を用いて、図１９及び図２０と異なる、ＮＳＳＡＩ更新処理の流れについて説明する。図２１は、ステップＳ１８３において、ＵＤＭ２３が、ＡＭＦ２２へ、SST及びNew SDを含むNSSAI Update Requestメッセージを送信する。つまり、ＵＤＭ２３は、ステップＳ１８１において、ＵＥ２０の加入者情報として、ＳＤを変更する。
【００５９】
さらに、ステップＳ１８５において、ＡＭＦ２２は、ＵＤＭ２３から受信したNSSAI Update RequestメッセージをＵＥ２０へ転送する。ステップＳ１８６において、ＵＥ２０は、New SDを用いて保持しているNSSAIを更新する。その他のステップについては、図１９及び図２０のステップＳ１６１〜Ｓ１７１と同様であるため詳細な説明を省略する。
【００６０】
続いて、図２３及び図２４を用いて、図１９及び図２０と異なる、ＮＳＳＡＩ更新処理の流れについて説明する。ステップＳ２０１〜Ｓ２０３は、図１９のステップＳ１６１〜Ｓ１６３と同様であるため詳細な説明を省略する。
【００６１】
次に、ＡＭＦ２２は、ＵＥ２０へ、NSSAI Requestメッセージを送信する（Ｓ２０４）。次に、ＵＥ２０は、NSSAI Requestメッセージに対する応答メッセージとして、ＡＭＦ２２へ、NSSAI Responseメッセージを送信する（Ｓ２０５）。NSSAI Responseメッセージは、Old NSSAIを含む。ステップＳ２０４及びＳ２０５は、省略されてもよい。
【００６２】
ステップＳ２０６〜Ｓ２１０は、図１２のステップＳ８８〜Ｓ９２と同様であるため詳細な説明を省略する。ただし、ステップＳ２０９及びＳ２１０においては、Subscription Update Responseメッセージの代わりに、NSSAI Update Response Ackメッセージが用いられる。さらに、ステップＳ２０９において、ＵＤＭ２３は、NSSAI Update Responseメッセージに、UE IDを含めてもよい。また、ステップＳ２０２の後に、ＵＤＭ２３が、ＵＥ２０に関連付けて保持しているＮＳＳＡＩを更新した場合、ステップＳ２０３〜Ｓ２０７は省略されてもよい。
【００６３】
続いて、図２５及び図２６を用いて、図２３及び図２４と異なる、ＮＳＳＡＩ更新処理の流れについて説明する。図２５は、ステップＳ２２３において、ＵＤＭ２３が、ＡＭＦ２２へ、SST及びNew SDを含むNSSAI Update Requestメッセージを送信する。
【００６４】
さらに、ステップＳ２２６において、ＡＭＦ２２は、New SDを用いて、ＵＥ２０に関連付けられたＮＳＳＡＩを更新する。ステップＳ２２７〜Ｓ２３０は、図２４のステップＳ２０７〜２１０と同様であるため詳細な説明を省略する。
【００６５】
以上説明したように、図１９〜図２６の処理を実行することによって、ＵＥ２０もしくはＡＭＦ２２は、ＵＤＭ２３において加入者情報が変更されたことをトリガーとして、ＵＥ２０に関連付けて保持しているNSSAIを更新することができる。
【００６６】
（実施の形態５）
続いて、図２７及び図２８を用いて、ＮＳＳＡＩ更新処理の流れについて説明する。はじめに、ＡＭＦ２２は、ＵＥ２０の位置が変更されたことを検出する（Ｓ２４１）。次に、ＡＭＦ２２は、NSSAI Change RequiredメッセージをＵＤＭ２３へ送信する（Ｓ２４２）。NSSAI Change Requiredメッセージは、ＵＥ２０のUE ID、UE Location information、及びOld NSSAIを含む。
【００６７】
次に、ＵＤＭ２３は、ＵＥ２０の移動先におけるネットワークスライスへ接続するために用いられるＵＥ２０のUE ID及びUE Security capabilitiesの認証を行う（Ｓ２４３）。さらに、ＵＤＭ２３は、ＵＥ２０の新たな接続先となるネットワークスライスへ接続することができるか否かを判定する（Ｓ２４４）。
【００６８】
次に、ＵＤＭ２３は、ＡＭＦ２２へ、NSSAI Update Requestメッセージを送信する（Ｓ２４５）。NSSAI Update Requestメッセージは、New NSSAI及びUE IDを含む。次に、ＡＭＦ２２は、受信したNSSAI Update RequestメッセージをＵＥ２０へ転送する（Ｓ２４６）。
【００６９】
次に、ＵＥ２０は、移動先において提供されている１以上のネットワークスライスを利用するためにＮＳＳＡＩを更新する（Ｓ２４７）。ステップＳ２４８〜Ｓ２５２は、図２０のステップＳ１６７〜Ｓ１７１と同様であるため詳細な説明を省略する。
【００７０】
次に、図２９及び図３０を用いて、ＮＳＳＡＩ更新処理の流れについて説明する。ステップＳ２６１〜Ｓ２６５は、図２７及び図２８におけるステップＳ２４１〜Ｓ２４５と同様であるため詳細な説明を省略する。
【００７１】
次に、ＡＭＦ２２は、ＵＥ２０へ、NSSAI Requestメッセージを送信する（Ｓ２６７）。次に、ＵＥ２０は、NSSAI Requestメッセージに対する応答メッセージとして、ＡＭＦ２２へ、NSSAI Responseメッセージを送信する（Ｓ２６８）。NSSAI Responseメッセージは、Old NSSAIを含む。次に、ＡＭＦ２２は、ＵＥ２０が移動先において提供されている１以上のネットワークスライスを利用するためにＮＳＳＡＩを更新する（Ｓ２６９）。ステップＳ２７０〜Ｓ２７３は、図２６のステップＳ２２７〜Ｓ２３０と同様であるため詳細な説明を省略する。
【００７２】
以上説明したように、図２７〜図３０の処理を実行することによって、ＵＥ２０もしくはＡＭＦ２２は、ＡＭＦ２２においてＵＥ２０の位置情報が変更されたことをトリガーとして、ＵＥ２０に関連付けて保持しているNSSAIを更新することができる。
【００７３】
続いて以下では、図３１及び図３２を用いて、上述の複数の実施形態で説明された通信端末１０及びＡＭＦ２２の構成例について説明する。
【００７４】
図３１は、通信端末１０の構成例を示すブロック図である。Radio Frequency（RF）トランシーバ１１０１は、ｅＮＢもしくはｇＮＢと通信するためにアナログRF信号処理を行う。RFトランシーバ１１０１により行われるアナログRF信号処理は、周波数アップコンバージョン、周波数ダウンコンバージョン、及び増幅を含む。RFトランシーバ１１０１は、アンテナ１１０２及びベースバンドプロセッサ１１０３と結合される。すなわち、RFトランシーバ１１０１は、変調シンボルデータをベースバンドプロセッサ１１０３から受信し、送信RF信号を生成し、送信RF信号をアンテナ１１０２に供給する。変調シンボルデータは、OFDM（Orthogonal Frequency Division Multiplexing）シンボルデータであってもよい。また、RFトランシーバ１１０１は、アンテナ１１０２によって受信された受信ＲＦ信号に基づいてベースバンド受信信号を生成し、これをベースバンドプロセッサ１１０３に供給する。
【００７５】
ベースバンドプロセッサ１１０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解を含む。さらに、デジタルベースバンド信号処理は、(d) 伝送路符号化／復号化を含む。さらに、デジタルベースバンド信号処理は、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）の通信管理を含む。さらに、コントロールプレーン処理は、レイヤ３（e.g., アタッチ、モビリティ、及び通話管理に関するシグナリング）の通信管理を含む。
【００７６】
例えば、LTEおよびLTE-Advancedの場合、ベースバンドプロセッサ１１０３によるデジタルベースバンド信号処理は、Packet Data Convergence Protocol（PDCP）レイヤを含んでもよい。さらに、デジタルベースバンド信号処理は、Radio Link Control（RLC）レイヤ、MACレイヤ、およびPHYレイヤの信号処理を含んでもよい。また、ベースバンドプロセッサ１１０３によるコントロールプレーン処理は、Non-Access Stratum（NAS）プロトコル、RRCプロトコル、及びMAC CEの処理を含んでもよい。
【００７７】
ベースバンドプロセッサ１１０３は、デジタルベースバンド信号処理を行うモデム・プロセッサ（e.g., Digital Signal Processor（DSP））を含んでもよい。さらに、ベースバンドプロセッサ１１０３は、コントロールプレーン処理を行うプロトコルスタック・プロセッサを含んでもよい。プロトコルスタック・プロセッサは、例えば、Central Processing Unit（CPU）、又はMicro Processing Unit（MPU）であってもよい。この場合、コントロールプレーン処理を行うプロトコルスタック・プロセッサは、後述するアプリケーションプロセッサ１１０４と共通化されてもよい。
【００７８】
アプリケーションプロセッサ１１０４は、CPU、MPU、マイクロプロセッサ、又はプロセッサコアとも呼ばれる。アプリケーションプロセッサ１１０４は、複数のプロセッサ（複数のプロセッサコア）を含んでもよい。アプリケーションプロセッサ１１０４は、メモリ１１０６又は図示されていないメモリから読み出されたシステムソフトウェアプログラム（Operating System（OS））を実行する。さらに、アプリケーションプロセッサは、様々なアプリケーションプログラムを実行することによって、通信端末１０の各種機能を実現する。アプリケーションプログラムは、例えば、通話アプリケーション、WEBブラウザ、メーラ、カメラ操作アプリケーション、音楽再生アプリケーションであってもよい。
【００７９】
いくつかの実装において、図３１に破線（１１０５）で示されているように、ベースバンドプロセッサ１１０３及びアプリケーションプロセッサ１１０４は、１つのチップ上に集積されてもよい。言い換えると、ベースバンドプロセッサ１１０３及びアプリケーションプロセッサ１１０４は、１つのSystem on Chip（SoC）デバイス１１０５として実装されてもよい。SoCデバイスは、システムLarge Scale Integration（LSI）またはチップセットと呼ばれることもある。
【００８０】
メモリ１１０６は、揮発性メモリ若しくは不揮発性メモリ又はこれらの組合せである。メモリ１１０６は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブである。又は不揮発性メモリは、これらの任意の組合せである。例えば、メモリ１１０６は、ベースバンドプロセッサ１１０３、アプリケーションプロセッサ１１０４、及びSoC１１０５からアクセス可能な外部メモリデバイスを含んでもよい。メモリ１１０６は、ベースバンドプロセッサ１１０３内、アプリケーションプロセッサ１１０４内、又はSoC１１０５内に集積された内蔵メモリデバイスを含んでもよい。さらに、メモリ１１０６は、Universal Integrated Circuit Card（UICC）内のメモリを含んでもよい。
【００８１】
メモリ１１０６は、上述の複数の実施形態で説明された通信端末１０による処理を行うための命令群およびデータを含むソフトウェアモジュール（コンピュータプログラム）を格納してもよい。いくつかの実装において、ベースバンドプロセッサ１１０３又はアプリケーションプロセッサ１１０４は、当該ソフトウェアモジュールをメモリ１１０６から読み出して実行することで、上述の実施形態で説明された通信端末１０の処理を行うよう構成されてもよい。
【００８２】
図３２は、ＡＭＦ２２の構成例を示すブロック図である。図３２を参照すると、ＡＭＦ２２は、ネットワークインタフェース１２０１、プロセッサ１２０２、及びメモリ１２０３を含む。ネットワークインタフェース１２０１は、通信システムを構成する他のネットワークノード装置と通信するために使用される。ネットワークインタフェース１２０１は、例えば、IEEE 802.3 seriesに準拠したネットワークインタフェースカード（NIC）を含んでもよい。
【００８３】
プロセッサ１２０２は、メモリ１２０３からソフトウェア（コンピュータプログラム）を読み出して実行することで、上述の実施形態においてシーケンス図を用いて説明されたＡＭＦ２２の処理を行う。プロセッサ１２０２は、例えば、マイクロプロセッサ、MPU（Micro Processing Unit）、又はCPU（Central Processing Unit）であってもよい。プロセッサ１２０２は、複数のプロセッサを含んでもよい。
【００８４】
メモリ１２０３は、揮発性メモリ及び不揮発性メモリの組み合わせによって構成される。メモリ１２０３は、プロセッサ１２０２から離れて配置されたストレージを含んでもよい。この場合、プロセッサ１２０２は、図示されていないI/Oインタフェースを介してメモリ１２０３にアクセスしてもよい。
【００８５】
図３２の例では、メモリ１２０３は、ソフトウェアモジュール群を格納するために使用される。プロセッサ１２０２は、これらのソフトウェアモジュール群をメモリ１２０３から読み出して実行することで、上述の実施形態において説明されたＡＭＦ２２の処理を行うことができる。
【００８６】
図３２を用いて説明したように、ＡＭＦ２２が有するプロセッサの各々は、図面を用いて説明されたアルゴリズムをコンピュータに行わせるための命令群を含む１又は複数のプログラムを実行する。
【００８７】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）を含む。さらに、非一時的なコンピュータ可読媒体の例は、ＣＤ−ＲＯＭ（Read Only Memory）、ＣＤ−Ｒ、ＣＤ−Ｒ／Ｗを含む。さらに、非一時的なコンピュータ可読媒体の例は、半導体メモリを含む。半導体メモリは、例えば、マスクＲＯＭ、ＰＲＯＭ（Programmable ROM）、ＥＰＲＯＭ（Erasable PROM）、フラッシュＲＯＭ、ＲＡＭ（Random Access Memory）を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８８】
なお、本開示は上記実施の形態に限られたものではなく、趣旨を逸脱しない範囲で適宜変更することが可能である。また、本開示は、それぞれの実施の形態を適宜組み合わせて実施されてもよい。
【００８９】
以上、実施の形態を参照して本願発明を説明したが、本願発明は上記によって限定されるものではない。本願発明の構成や詳細には、発明のスコープ内で当業者が理解し得る様々な変更をすることができる。
【００９０】
この出願は、２０１７年１月２７日に出願されたインド出願201711003072を基礎とする優先権を主張し、その開示の全てをここに取り込む。
【００９１】
上記の実施形態の一部又は全部は、以下の付記のようにも記載されうるが、以下には限られない。
（付記１）
コアネットワークにおいて管理されている通信端末であって、
自装置の加入者情報の変更もしくは自装置の位置の変更に伴い、前記コアネットワークからＳＭ（Session Management）−ＮＳＳＡＩ（Network Slice Selection Assistance Information）に関するパラメータを受信する通信部と、
前記ＳＭ−ＮＳＳＡＩに関するパラメータを用いて、ネットワークスライスを選択するために管理しているＮＳＳＡＩを更新する制御部と、を備える通信端末。
（付記２）
前記通信部は、
新たな前記ＳＭ−ＮＳＳＡＩを示すパラメータを受信し、
前記制御部は、
前記新たなＳＭ−ＮＳＳＡＩを示すパラメータを用いて、前記ＮＳＳＡＩを更新する、付記１に記載の通信端末。
（付記３）
前記通信部は、
ＳＭ−ＮＳＳＡＩに含まれる新たなＳＤ（Slice Differentiator）を受信し、
前記制御部は、
前記新たなＳＤを示すパラメータを用いて、前記ＮＳＳＡＩを更新する、付記１又は２に記載の通信端末。
（付記４）
前記通信部は、
前記自装置の加入者情報の変更を要求する要求メッセージを前記コアネットワークへ送信する、付記１乃至３のいずれか１項に記載の通信端末。
（付記５）
前記要求メッセージは、
前記自装置が加入を希望する新たなネットワークスライスもしくは新たなサービスに関するパラメータを含む、付記４に記載の通信端末。
（付記６）
前記通信部は、
前記ＳＭ−ＮＳＳＡＩに関するパラメータを含むNSSAI Update Requestメッセージを受信する、付記１乃至５のいずれか１項に記載の通信端末。
（付記７）
加入者情報管理装置において管理されている通信端末の加入者情報の変更もしくは前記通信端末の位置の変更に伴い、前記加入者情報管理装置からＳＭ（Session Management）−ＮＳＳＡＩ（Network Slice Selection Assistance Information）に関するパラメータを受信する通信部と、
前記ＳＭ−ＮＳＳＡＩに関する情報を用いて、前記通信端末が利用するネットワークスライスを選択するために管理しているＮＳＳＡＩを更新する制御部と、を備えるコアネットワーク装置。
（付記８）
前記通信部は、
新たな前記ＳＭ−ＮＳＳＡＩを示すパラメータを受信し、
前記制御部は、
前記新たなＳＭ−ＮＳＳＡＩを示すパラメータを用いて、前記ＮＳＳＡＩを更新する、付記７に記載のコアネットワーク装置。
（付記９）
前記通信部は、
ＳＭ−ＮＳＳＡＩに含まれる新たなＳＤ（Slice Differentiator）を受信し、
前記制御部は、
前記新たなＳＤを示すパラメータを用いて、前記ＮＳＳＡＩを更新する、付記７又は８に記載のコアネットワーク装置。
（付記１０）
通信端末の加入者情報もしくは前記通信端末の位置の変更に伴い、ＳＭ（Session Management）−ＮＳＳＡＩ（Network Slice Selection Assistance Information）に関するパラメータを前記通信端末へ送信する加入者情報管理装置と、
前記ＳＭ−ＮＳＳＡＩに関するパラメータを受信し、前記ＳＭ−ＮＳＳＡＩに関するパラメータを用いて、ネットワークスライスを選択するために管理しているＮＳＳＡＩを更新する前記通信端末と、を備える通信システム。
（付記１１）
前記加入者情報管理装置は、
新たな前記ＳＭ−ＮＳＳＡＩを示すパラメータを送信し、
前記通信端末は、
前記新たなＳＭ−ＮＳＳＡＩを示すパラメータを用いて、前記ＮＳＳＡＩを更新する、付記１０に記載の通信システム。
（付記１２）
前記加入者情報管理装置は、
ＳＭ−ＮＳＳＡＩに含まれる新たなＳＤ（Slice Differentiator）を送信し、
前記通信端末は、
前記新たなＳＤを示すパラメータを用いて、前記ＮＳＳＡＩを更新する、付記１０又は１１に記載の通信システム。
（付記１３）
コアネットワークにおいて管理されている通信端末の情報管理方法であって、
前記通信端末の加入者情報の変更もしくは前記通信端末の位置の変更に伴い、前記コアネットワークからＳＭ（Session Management）−ＮＳＳＡＩ（Network Slice Selection Assistance Information）に関するパラメータを受信し、
前記ＳＭ−ＮＳＳＡＩに関するパラメータを用いて、ネットワークスライスを選択するために管理しているＮＳＳＡＩを更新する、情報管理方法。
（付記１４）
コアネットワークにおいて管理されている前記通信端末の加入者情報の変更もしくは前記通信端末の位置の変更に伴い、前記コアネットワークからＳＭ（Session Management）−ＮＳＳＡＩ（Network Slice Selection Assistance Information）に関するパラメータを受信し、
前記ＳＭ−ＮＳＳＡＩに関するパラメータを用いて、ネットワークスライスを選択するために管理しているＮＳＳＡＩを更新することをコンピュータに実行させるプログラム。
【符号の説明】
【００９２】
１０  通信端末
１１  通信部
１２  制御部
２０  ＵＥ
２１  ＮＧ  （Ｒ）ＡＮ
２２  ＡＭＦ
２３  ＵＤＭ
２４  ＰＣＦ
３１  通信部
３２  制御部
【図１】
2018139572.tif 000003
【図２】
2018139572.tif 000004
【図３】
2018139572.tif 000005
【図４】
2018139572.tif 000006
【図５】
2018139572.tif 000007
【図６】
2018139572.tif 000008
【図７】
2018139572.tif 000009
【図８】
2018139572.tif 000010
【図９】
2018139572.tif 000011
【図１０】
2018139572.tif 000012
【図１１】
2018139572.tif 000013
【図１２】
2018139572.tif 000014
【図１３】
2018139572.tif 000015
【図１４】
2018139572.tif 000016
【図１５】
2018139572.tif 000017
【図１６】
2018139572.tif 000018
【図１７】
2018139572.tif 000019
【図１８】
2018139572.tif 000020
【図１９】
2018139572.tif 000021
【図２０】
2018139572.tif 000022
【図２１】
2018139572.tif 000023
【図２２】
2018139572.tif 000024
【図２３】
2018139572.tif 000025
【図２４】
2018139572.tif 000026
【図２５】
2018139572.tif 000027
【図２６】
2018139572.tif 000028
【図２７】
2018139572.tif 000029
【図２８】
2018139572.tif 000030
【図２９】
2018139572.tif 000031
【図３０】
2018139572.tif 000032
【図３１】
2018139572.tif 000033
【図３２】
2018139572.tif 000034
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
コアネットワークにおいて管理されているUE（User Equipment）として動作する通信端末であって、
加入者情報の変更またはUE mobility に基づいて、前記コアネットワークからSD（Slice Differentiator）を含むネットワークスライスに関連する第１のパラメータを受信する通信部と、
前記受信した前記第１のパラメータに基づいてネットワークスライスに関連する情報を更新する制御部と、を備える通信端末。
【請求項２】
前記通信部は、
ネットワークスライスに関連する前記情報の更新に基づいて、前記コアネットワークへacknowledgeメッセージを送信する、
請求項１に記載の通信端末。
【請求項３】
前記通信部は、
前記コアネットワークにおけるUEポリシーの更新に基づいて、前記コアネットワークからUEポリシーに関連する第２のパラメータを受信する、
請求項１又は２に記載の通信端末。
【請求項４】
他のコアネットワーク装置から受信した加入者データ更新の通知もしくはUE mobilityの変更に基づいて、SD（Slice Differentiator）を含むネットワークスライスに関連する第１のパラメータをUE（User Equipment）として動作する通信端末へ送信し、ネットワークスライスに関連するUE情報の更新に基づいて、前記UEからacknowledgeメッセージを受信する通信部、を備えるコアネットワーク装置。
【請求項５】
前記通信部は、
ネットワークスライスに関連するUE情報の更新に基づいて、前記他のコアネットワーク装置へacknowledgeメッセージを送信する、
請求項４に記載のコアネットワーク装置。
【請求項６】
前記通信部は、
他のコアネットワーク装置から、前記コアネットワークにおけるUEポリシーの更新に基づいて、更新された前記UEポリシーに関連する情報を受信する、
請求項４又は５に記載のコアネットワーク装置。
【請求項７】
前記通信部は、
前記コアネットワークにおけるUEポリシーの更新に基づいて、前記更新されたUEポリシーに関連する第２のパラメータを前記UEへ送信する、請求項６に記載のコアネットワーク装置。
【請求項８】
コアネットワークにおいて管理されているUE（User Equipment）として動作する通信端末の情報管理方法であって、
加入者情報の変更またはUE mobilityに基づいて、前記コアネットワークからSD（Slice Differentiator）を含むネットワークスライスに関連する第１のパラメータを受信し、
受信した前記第１のパラメータに基づいて、ネットワークスライスに関連する情報を更新する、情報管理方法。
【請求項９】
ネットワークスライスに関連する情報の更新に基づいて、前記コアネットワークへacknowledgeメッセージを送信する、請求項８に記載の情報管理方法。
【請求項１０】
他のコアネットワーク装置から通知された加入者データもしくはUE mobilityの変更の受信に基づいて、SD（Slice Differentiator）を含むネットワークスライスに関連する第１のパラメータをUE（User Equipment）として動作する通信端末へ送信し、
ネットワークスライスに関連するUE情報の更新に基づいて、前記UEからacknowledgeメッセージを受信する通信部、を備えるコアネットワーク装置において実行される方法。
【国際調査報告】
2018139572.tif 000035
2018139572.tif 000036
2018139572.tif 000037